(57)【要約】【課題】  筐体内部の表示部を確実に保護するとともに、小型化が図られた携帯機器を提供する。【解決手段】  携帯電話機１は、長辺と短辺とを有する略矩形形状の主表面を含む筐体と、筐体に収容されるマグネシウムフレーム３１と、マグネシウムフレーム３１に取り付けられるメイン表示部５とを備える。短辺が延びる方向（矢印１０１に示す方向）において、マグネシウムフレーム３１の長さＢ１はメイン表示部５の長さＢ２以下である。【選択図】        図７
2005072114.tif 000002
【特許請求の範囲】
【請求項１】
長辺と短辺とを有する略矩形形状の主表面を含む第１の筐体と、
前記第１の筐体に収容されるベース部と、
前記主表面から視認される表示面を含み、前記ベース部に取り付けられる第１の表示部とを備え、
前記短辺が延びる方向において、前記ベース部の長さは前記第１の表示部の長さ以下である、携帯機器。
【請求項２】
ヒンジを介して前記第１の筐体に開閉自在に連結された第２の筐体をさらに備え、前記第１および第２の筐体を閉じた状態で、前記主表面は前記第２の筐体に向い合っている、請求項１に記載の携帯機器。
【請求項３】
前記第１の表示部は、前記表示面の反対側に位置する取付け面をさらに含み、前記ベース部は、前記取付け面の周縁に沿って延在する枠体部と、前記枠体部の内側に渡設されたリブ状部とを含む、請求項１または２に記載の携帯機器。
【請求項４】
前記リブ状部と前記枠体部との間に規定される第１の空間に位置決めされ、前記ベース部によって支持される第２の表示部をさらに備える、請求項３に記載の携帯機器。
【請求項５】
前記リブ状部に取り付けられた操作部をさらに備える、請求項３または４に記載の携帯機器。
【請求項６】
前記操作部に接続された一方端と、前記一方端側から枝分かれした第１および第２の部分を有する他方端とを含むフレキシブルプリント基板をさらに備え、
前記第１の部分は、前記リブ状部と前記枠体部との間に規定される第２の空間を通過し、前記操作部から相対的に近い位置で接続され、前記第２の部分は、前記枠体部の外側を通過し、前記操作部から相対的に遠い位置で接続される、請求項５に記載の携帯機器。
【請求項７】
前記ベース部は、前記表示面とほぼ同一平面となる表面を含む、請求項１から６のいずれか１項に記載の携帯機器。
【請求項８】
前記短辺が延びる方向において、前記ベース部の長さは前記第１の表示部の長さとほぼ等しい、請求項１から７のいずれか１項に記載の携帯機器。
【発明の詳細な説明】
【技術分野】
【０００１】
この発明は、一般的には、携帯機器に関し、より特定的には、液晶ディスプレイやＥＬ(electro luminescent）ディスプレイなどによって構成される表示部を備える携帯機器に関する。
【背景技術】
【０００２】
従来、１つの筐体からなるストレートタイプの携帯電話機や、折り畳み可能に連結された２つの筐体からなるクラムシェルタイプの携帯電話機が広く普及しており、たとえば、特開２００１−４５１２３号公報には、折り畳み可能な携帯通信端末装置がクラムシェルタイプの携帯電話機として開示されている（特許文献１）。
【０００３】
これらの携帯電話機の筐体内には、液晶ディスプレイやＥＬディスプレイなどによって構成される表示部が収容される。その表示部は、外部からの衝撃や負荷によって損傷を受けるおそれがあるため、たとえばマグネシウム合金などからなるフレーム材に囲まれた状態で収容されている。図１０は、従来において、表示部を保護するためのフレーム材を示す斜視図である。図１０を参照して、フレーム材２００は、略長方形の枠型形状を有する。表示部は、フレーム材２００の枠型の内側に挿入される。
【特許文献１】特開２００１−４５１２３号公報
【発明の開示】
【発明が解決しようとする課題】
【０００４】
このような携帯電話機に代表される携帯機器は、日常生活において持ち歩いて使用される。このため、通常の製品以上に小型化に対する要求が強い。しかし、表示部を囲むようにフレーム材を設けた場合、表示部が損傷を受けることを防止できるものの、表示部およびフレーム材を収容する筐体の大きさが大きくなってしまう。このため、携帯機器に対する小型化の要求に応えることが困難となっている。
【０００５】
そこでこの発明の目的は、上記の課題を解決することであり、筐体内部の表示部を確実に保護するとともに、小型化が図られた携帯機器を提供することである。
【課題を解決するための手段】
【０００６】
この発明に従った携帯機器は、長辺と短辺とを有する略矩形形状の主表面を含む第１の筐体と、第１の筐体に収容されるベース部と、ベース部に取り付けられる第１の表示部とを備える。第１の表示部は、主表面から視認される表示面を含む。短辺が延びる方向において、ベース部の長さは第１の表示部の長さ以下である。
【０００７】
このように構成された携帯機器によれば、ベース部の長さは第１の表示部の長さ以下であるため、ベース部を設けたことによって短辺が延びる方向に筐体の長さが長くなることがない。このため、携帯機器の小型化を図ることができる。一方、第１の表示部は、表示面に対して角度を有する方向からの力に対しては損傷しやすいものの、表示面に平行な方向からの力に対しては、比較的損傷しにくい。また、携帯機器を使用するに際して、外部からの衝撃や負荷は、第１の筐体の主表面または主表面の反対側の表面から加わることが多い。したがって、短辺方向のベース部の長さが第１の表示部の長さ以下であるにもかかわらず、第１の表示部を取り付けたベース部によって、第１の表示部を外部からの衝撃等から確実に保護することができる。
【０００８】
また好ましくは、携帯機器は、ヒンジを介して第１の筐体に開閉自在に連結された第２の筐体をさらに備える。第１および第２の筐体を閉じた状態で、主表面は第２の筐体に向い合っている。このように構成された携帯機器によれば、開閉自在に連結された第１および第２の筐体を備え、状況に応じて第１および第２の筐体を閉じた状態で使用したり、開いた状態で使用したりするクラムシェルタイプの携帯機器において、上述の効果を得ることができる。
【０００９】
また好ましくは、第１の表示部は、表示面の反対側に位置する取付け面をさらに含む。ベース部は、取付け面の周縁に沿って延在する枠体部と、枠体部の内側に渡設されたリブ状部とを含む。このように構成された携帯機器によれば、ベース部は、枠体部とリブ状部とから構成された格子状に形成されている。このため、ベース部の剛性を向上させることができる。第１の表示部は、取付け面がこのベース部に支持されるように取り付けられるため、第１の表示部を外部からの衝撃等からより確実に保護することができる。
【００１０】
また好ましくは、携帯機器は、リブ状部と枠体部との間に規定される第１の空間に位置決めされ、ベース部によって支持される第２の表示部をさらに備える。このように構成された携帯機器によれば、第２の表示部を設ける位置として第１の空間を利用することによって、携帯機器の小型化を図るとともに、ベース部によって第２の表示部を外部からの衝撃等から保護することができる。
【００１１】
また好ましくは、携帯機器は、リブ状部に取り付けられた操作部をさらに備える。このように構成された携帯機器によれば、操作部を取り付ける位置としてリブ状部を利用することによって、操作部を設ける部品を新たに設ける必要がない。これにより、携帯機器の部品点数を減らし、製造コストの削減を図ることができる。
【００１２】
また好ましくは、携帯機器は、操作部に接続された一方端と、他方端とを含むフレキシブルプリント基板をさらに備える。他方端は、一方端側から枝分かれした第１および第２の部分を有する。第１の部分は、リブ状部と枠体部との間に規定される第２の空間を通過し、操作部から相対的に近い位置で接続される。第２の部分は、枠体部の外側を通過し、操作部から相対的に遠い位置で接続される。このように構成された携帯機器によれば、第１の部分を第２の空間に通過させることによって、第１の部分が遠回りをして、操作部に相対的に近い位置で接続されることを防止できる。また、第１および第２の部分をそれぞれ所定のラインで通過させることによって、他方端の表面に形成された配線と枠体部とが不要に接触することを防止できる。
【００１３】
また好ましくは、ベース部は、表示面とほぼ同一平面となる表面を含む。このように構成された携帯機器によれば、第１の筐体の主表面側から衝撃や負荷が加わった場合に、ベース部の表面にこの衝撃や負荷を受けさせることができる。これにより、第１の表示部の表示面が損傷を受けることを防止できる。また、ベース部の表面は表示面から突出して設けられていないため、第１の筐体の厚みが大きくなることがない。これにより、携帯機器の小型化が妨げられない。
【００１４】
また好ましくは、短辺が延びる方向において、ベース部の長さは第１の表示部の長さとほぼ等しい。このように構成された携帯機器によれば、携帯機器の小型化を図った上で、表示面に平行な方向から加わる衝撃等に対しても第１の表示部をより確実に保護することができる。
【発明の効果】
【００１５】
以上説明したように、この発明に従えば、筐体内部の表示部を確実に保護するとともに、小型化が図られた携帯機器を提供することができる。
【発明を実施するための最良の形態】
【００１６】
この発明の実施の形態について、図面を参照して説明する。
【００１７】
図１は、この発明の実施の形態における携帯電話機の開いた状態を示す斜視図である。図２は、図１中の携帯電話機を背面側から見た斜視図である。図３は、図１中の携帯電話機の閉じた状態を示す斜視図である。
【００１８】
図１から図３を参照して、携帯電話機１は、カメラ機能を有するクラムシェルタイプの携帯電話機である。携帯電話機１は、筐体２と、筐体２に対してヒンジ４を介して連結された筐体３とを備える。筐体２および３がヒンジ４を軸として角変位自在に動くことによって、携帯電話機１の形状は、図１および図２中の開いた状態と図３中の閉じた状態との間を変化する。
【００１９】
筐体２は、薄型の直方体形状に形成されており、携帯電話機１を閉じた状態で内側に位置する主表面２ａを有する。主表面２ａは、矢印１０１に示す方向に延びる短辺と、矢印１０２に示す方向に延びる長辺とを有する略矩形形状に形成されている。ヒンジ４は、矢印１０１に示す方向に延びて形成されており、主表面２ａの短辺に沿って位置している。筐体２は、主表面２ａの反対側に位置する背面２ｂをさらに有する。
【００２０】
図１を参照して、筐体２には、主表面２ａ側に位置してメイン表示部５が設けられている。メイン表示部５は、液晶ディスプレイやＥＬ(electro luminescent）ディスプレイなどによって構成されており、表示ドライバ部を介して与えられる画像データに基づいて画像を表示する。また、メイン表示部５の上方には、通話時などに使用するスピーカ６が設けられている。スピーカ６に近接する筐体２の内部には、図示しないレシーバが設けられている。
【００２１】
筐体３には、数字および文字を入力するためのキーなどから構成される入力ボタン群７と、携帯電話機１における各種設定／機能切替を行なうための機能ボタン群８とが設けられている。これらのボタン群は、携帯電話機１を閉じた状態で内側に位置する筐体３の表面３ａに設けられている。
【００２２】
機能ボタン群８は、電源のＯＮ／ＯＦＦ切替を行なう電源ボタン９、カメラ機能を能動化するために操作されるカメラボタン１０、カメラおよびメール機能とガイダンス表示とを行なうメール／ガイダンス用ボタン１１、通話開始とスピーカ受話を行なう開始／スピーカ受話ボタン１２、ならびに機能選択画面での上下左右選択と決定とを行なう４方向ボタンと決定ボタンとで構成されるマルチガイドボタン１３を含む。筐体３の表面３ａには、入力ボタン群７の下方に位置して、通話用のマイク１４が設けられている。
【００２３】
図２および図３を参照して、筐体２の背面２ｂには、ヒンジ４に近接する位置にカメラ部２１が設けられている。背面２ｂは、携帯電話機１を閉じた状態で外側に露出する。背面２ｂには、カメラ部２１に近い位置から順に、ライト部２２と、サブ表示部２０と、シャッタボタン２３ならびに操作ボタン２４ａおよび２４ｂから構成されるボタン群とがさらに設けられている。
【００２４】
サブ表示部２０は、液晶ディスプレイやＥＬディスプレイなどによって構成されている。図中では、サブ表示部２０の表示可能領域を図１中のメイン表示部５よりも小さくして示しているが、大きくてもよく、また同じ大きさであってもよい。サブ表示部２０には、表示ドライバ部を介して与えられるカメラ部２１で撮影された画像データ、時刻、電波強度およびメール受信などを報知するためのキャラクタ画像などが表示される。
【００２５】
このようにメイン表示部５およびサブ表示部２０は、携帯電話機１を開いた状態において、携帯電話機１の外側に位置するように設けられている。また、メイン表示部５は、携帯電話機１を閉じた状態において携帯電話機１の内側に位置し、サブ表示部２０は、同様の状態において携帯電話機１の外側に位置するように設けられている。
【００２６】
カメラ部２１は、撮影レンズと、ＣＣＤ（charge coupled device）イメージセンサまたはＣＭＯＳ（complementary metal oxide semiconductor）イメージセンサなどの撮影素子と、ＲＧＢの３色のカラーフィルタとを備える。カメラ部２１では、被写体で反射されて撮影レンズに入射した光を、カラーフィルタを通してＲＧＢの３色光に変換し、ＲＧＢの３色光をそれぞれＣＣＤに入射させる。
【００２７】
ライト部２２は、カメラ部２１で撮影する際の補助光源として使われる。一般的には、補助光源にはキセノン管が用いられ、また最近では、ＲＧＢのＬＥＤ（light emitting diode）が用いられている。これらＬＥＤを同時発光させることによって、白色光の照明を得ることができる。
【００２８】
操作ボタン２４ａおよび２４ｂは、サブ表示部２０の表示情報を確認しながら各種のデータ設定または操作を行なうためのボタンである。操作ボタン２４ａおよび２４ｂは、サブ表示部２０における情報の表示と連動して、各種機能設定、アドレス帳の表示または検索、ならびにメールの確認、表示および発信などをするために操作される。また、操作ボタン２４ａおよび２４ｂを操作することにより、撮影時のズームインまたはズームアウト動作や複数の画像を順送りしながらの表示または逆送りしながらの表示の動作などを行なわせることができる。
【００２９】
筐体３の背面３ｂには、アンテナ部２５、昇降可能なヘリカル部２６、バッテリを格納するバッテリ部２７および着信音を鳴らすためのスピーカ２８が設けられている。背面３ｂは、携帯電話機１を閉じた状態で外側に露出する。
【００３０】
携帯電話機１のカメラ部２１を用いて被写体の撮影を行なう場合、ユーザーは、携帯電話機１を開いた状態と閉じた状態との２種類の状態で撮影を行なうことができる。携帯電話機１を開いた状態で撮影を行なう場合、ユーザーは、筐体３を持ってカメラ部２１を被写体に向ける。そして、メイン表示部５をファインダとして利用しながら、撮影される被写体の姿を確認し、カメラボタン１０を押下することによってシャッタをきる。このとき、筐体２の背面２ｂに設けられたシャッタボタン２３を使用しても良い。また、ユーザーがカメラ部２１を用いて自分を撮影する場合、ユーザーは、一般的に携帯電話機１を閉じた状態で撮影を行なう。この場合、ユーザーは、サブ表示部２０をファインダとして利用しながら、撮影される自分の姿を確認し、シャッタボタン２３を押下することによってシャッタをきる。
【００３１】
図４は、図１中のメイン表示部が設けられた筐体の分解図である。図４を参照して、筐体２は、サブ表示部２０側に位置するキャビネット１６と、メイン表示部５側に位置するキャビネット１７とによって構成されている。キャビネット１６および１７の間に規定される空間、つまり筐体２の内部には、基板ユニット１８が収容される。基板ユニット１８は、複数の部品が組み合わされて構成されており、ＬＣＤ基板４１と、ＬＣＤ基板４１に実装されたメイン表示部５、サブ表示部２０およびカメラ部２１と、これらの部品が取り付けられたマグネシウムフレーム３１と、マグネシウムフレーム３１の表面に取り付けられたフレキシブルプリント基板４２とを含む。
【００３２】
図５は、図４中のマグネシウムフレームを示す斜視図である。図６は、図５中の矢印ＶＩから見たマグネシウムフレームを示す斜視図である。なお、図中の矢印１０１および１０２は、図１中の矢印１０１および１０２が示す方向と同じ方向を示している。
【００３３】
図５および図６を参照して、マグネシウムフレーム３１は、マグネシウムに適当な金属が混合されたマグネシウム合金によって形成されている。マグネシウムフレーム３１は、ある程度の剛性を有し、外部から加わる衝撃や負荷などからメイン表示部５等を保護する役割を果たす。
【００３４】
マグネシウムフレーム３１は、略長方形形状に延びる枠体部３２と、枠体部３２の内側に設けられたリブ状部３３とから構成されている。リブ状部３３は、矢印１０２に示す方向に延びる枠体部３２の一対の辺の間を渡設されている。枠体部３２とリブ状部３３との間には、空間３６と、リブ状部３３を挟んで空間３６と反対側に位置する空間３５とが規定されている。マグネシウムフレーム３１は、矢印１０１が示す方向、つまり筐体２の主表面２ａの短辺が延びる方向において、幅Ｂ１で形成されている。
【００３５】
このようにマグネシウムフレーム３１を枠体部３２およびリブ状部３３から構成されるはしご状に形成することによって、枠体部３２だけから構成されている場合と比較して、マグネシウムフレーム３１の剛性を向上させることができる。
【００３６】
マグネシウムフレーム３１は、マグネシウムフレーム３１が筐体２内に収容された状態において図４中のキャビネット１７に向い合う側に、表面３１ａを有する。表面３１ａは、枠体部３２の四隅に配置されている。矢印１０２に示す方向に延びる枠体部３２の一対の辺には、互いに向い合う位置に溝部３４がそれぞれ形成されている。溝部３４は、矢印１０２に示す方向において枠体部３２の両端に位置する２箇所の表面３１ａの間で形成されている。溝部３４は、表面３１ａに対して所定の深さで形成されている。その所定の深さは、図４中のメイン表示部５の厚みに等しい。
【００３７】
図７は、図４中の基板ユニットの分解図である。図８は、図４中の基板ユニットの別の分解図である。図７は、図４中のメイン表示部５を上側から見た斜視図であり、図８は、図４中のサブ表示部２０を上側から見た斜視図である。なお、図中の矢印１０１および１０２は、図１中の矢印１０１および１０２が示す方向と同じ方向を示している。
【００３８】
図７および図８を参照して、メイン表示部５は、筐体２の主表面２ａ側から視認される液晶面５ａを有する液晶装置部と、液晶面５ａの反対側に位置する取付け面５ｂを有し、液晶装置部の背面側に設けられたバックライト部と、液晶装置部およびバックライト部の周りを覆うメインＬＣＤホルダーとから構成されている。そのメインＬＣＤホルダーには、取り付け用爪５ｍが形成されている。メイン表示部５は、矢印１０１に示す方向、つまり筐体２の主表面２ａの短辺が延びる方向において、幅Ｂ２で形成されている。マグネシウムフレーム３１が形成されている幅Ｂ１とメイン表示部５が形成されている幅Ｂ２とは、Ｂ１≦Ｂ２の関係を満たす。なお、本実施の形態では、特に幅Ｂ１と幅Ｂ２とが等しくなるようにマグネシウムフレーム３１が形成されている。
【００３９】
メイン表示部５と同様に、サブ表示部２０も、液晶装置部と、液晶装置部の背面側に設けられたバックライト部と、液晶装置部およびバックライト部の周りを覆うサブＬＣＤホルダーとから構成されている。そのサブＬＣＤホルダーには、取り付け用爪２０ｍが形成されている。
【００４０】
ＬＣＤ基板４１の表面４１ａには、ボードtoボードコネクタが設けられており、そのボードtoボードコネクタを介してカメラ部２１が設けられている。また、表面４１ａの反対側に位置するＬＣＤ基板４１の表面４１ｂには、各種のＩＣ（integrated circuit）のほか、ＦＰＣ接点コネクタ４３が設けられている。
【００４１】
取り付け用爪５ｍがＬＣＤ基板４１の周縁に係合することによって、メイン表示部５が表面４１ａ側からＬＣＤ基板４１に取り付けられる。また、取り付け用爪２０ｍがＬＣＤ基板４１の周縁に係合することによって、サブ表示部２０が表面４１ｂ側からＬＣＤ基板４１に取り付けられる。
【００４２】
メイン表示部５およびサブ表示部２０が取り付けられた状態のＬＣＤ基板４１が、さらにマグネシウムフレーム３１に取り付けられる。このとき、メイン表示部５は、マグネシウムフレーム３１の溝部３４に嵌め合わされ、メイン表示部５の取付け面５ｂの周縁がマグネシウムフレーム３１の枠体部３２に向い合うように位置決めされる。一方、サブ表示部２０は、マグネシウムフレーム３１によって規定された空間３５に位置決めされる。
【００４３】
マグネシウムフレーム３１の幅Ｂ１とメイン表示部５の幅Ｂ２とは等しいため、メイン表示部５がマグネシウムフレーム３１に取り付けられた状態で、矢印１０２に示す方向に延びるマグネシウムフレーム３１の側面３１ｃとメイン表示部５の側面５ｃとはほぼ同一平面となる。また、溝部３４が形成された所定の深さとメイン表示部５の厚みとは等しいため、メイン表示部５の液晶面５ａとマグネシウムフレーム３１の表面３１ａとはほぼ同一平面となる。
【００４４】
また、メイン表示部５がマグネシウムフレーム３１に取り付けられた状態で、メイン表示部５の取り付け用爪５ｍは、マグネシウムフレーム３１の側面３１ｃの内側に入り込む。このため、取り付け用爪５ｍは、枠体部３２の内壁とＬＣＤ基板４１の周縁との間で保持された状態となる。これにより、取り付け用爪５ｍにかかる負担を軽減させ、取り付け用爪５ｍが破損することを防止できる。
【００４５】
リブ状部３３の表面３３ａには、フレキシブルプリント基板４２が取り付けられる。表面３３ａは、メイン表示部５が取り付けられる側とは反対側に位置する。図９は、図４中のフレキシブルプリント基板を示す平面図である。図９を参照して、フレキシブルプリント基板４２は、可撓性を有する絶縁性フィルムと、その絶縁性フィルムの表面に形成された配線とによって構成されている。絶縁性フィルムは、たとえば、ポリエステルやポリイミドによって形成されている。スクリーン印刷法またはフォトレジスト法を用いることによって、その絶縁性フィルムの表面に所定のパターン形状を有する配線を形成することができる。なお、配線の表面には、回路の保護、電気的絶縁の確保、屈曲性の向上などを目的として、別の絶縁フィルムが接着されている。
【００４６】
フレキシブルプリント基板４２は、一方端５１と他方端５２とを有する形状に形成されている。他方端５２は、一方端５１側から枝分かれした部分５２ｑおよび５２ｐによって構成されている。一方端５１には、図２中の操作ボタン２４ａ、シャッタボタン２３および操作ボタン２４ｂを押した場合にそれぞれ押圧されるキー部４７、４６および４５が設けられている。部分５２ｐには、図１中のスピーカ６に近接して内蔵されるレシーバが接続される。部分５２ｑには、多数本の接続ピンが配列されてなる接続部５３が形成されている。キー部４７、４６および４５と接続部５３との間が図示しない配線によって接続され、レシーバと接続部５３との間が図示しない配線によって接続されている。
【００４７】
図４、図８および図９を参照して、フレキシブルプリント基板４２がリブ状部３３に取り付けられる際、フレキシブルプリント基板４２は、２点鎖線５４および５５に沿って折り曲げられる。フレキシブルプリント基板４２の一方端５１は、リブ状部３３の表面３３ａに取り付けられる。他方端５２の部分５２ｐが枠体部３２の外側を通過して、マグネシウムフレーム３１の外側に設けられた図示しないレシーバに接続される。また、他方端５２の部分５２ｑがマグネシウムフレーム３１によって規定された空間３６を通過して、ＬＣＤ基板４１の表面４１ｂに設けられたＦＰＣ接点コネクタ４３に接続される。キー部４７、４６および４５に対して、図示しないレシーバは相対的に遠くに位置し、ＦＰＣ接点コネクタ４３は相対的に近くに位置する。
【００４８】
フレキシブルプリント基板４２の部分５２ｐおよび５２ｑの両方を枠体部３２の外側を通過させた場合、部分５２ｑは、遠回りしてＦＰＣ接点コネクタ４３に接続させることとなる。しかし、本実施の形態のように空間３６を部分５２ｑを通過させるラインとして利用することによって、部分５２ｑを最短距離でＦＰＣ接点コネクタ４３に到達させることができる。
【００４９】
この発明の実施の形態に従った携帯機器としての携帯電話機１は、長辺と短辺とを有する略矩形形状の主表面２ａを含む第１の筐体としての筐体２と、筐体２に収容されるベース部としてのマグネシウムフレーム３１と、マグネシウムフレーム３１に取り付けられる第１の表示部としてのメイン表示部５とを備える。メイン表示部５は、主表面２ａから視認される表示面としての液晶面５ａを含む。短辺が延びる方向（矢印１０１に示す方向）において、マグネシウムフレーム３１の長さＢ１はメイン表示部５の長さＢ２以下である。好ましくは、短辺が延びる方向において、マグネシウムフレーム３１の長さＢ１はメイン表示部５の長さＢ２とほぼ等しい。
【００５０】
携帯電話機１は、ヒンジ４を介して筐体２に開閉自在に連結された第２の筐体としての筐体３をさらに備える。筐体２および３を閉じた状態で、主表面２ａは筐体３に向い合っている。メイン表示部５は、液晶面５ａの反対側に位置する取付け面５ｂをさらに含む。マグネシウムフレーム３１は、取付け面５ｂの周縁に沿って延在する枠体部３２と、枠体部３２の内側に渡設されたリブ状部３３とを含む。
【００５１】
マグネシウムフレーム３１は、液晶面５ａとほぼ同一平面となる表面３１ａを含む。携帯電話機１は、リブ状部３３と枠体部３２との間に規定される第１の空間としての空間３５に位置決めされ、マグネシウムフレーム３１によって支持される第２の表示部としてのサブ表示部２０をさらに備える。携帯電話機１は、リブ状部３３に取り付けられた操作部としてのキー部４７、４６および４５をさらに備える。
【００５２】
携帯電話機１は、キー部４７、４６および４５に接続された一方端５１と、他方端５２とを含むフレキシブルプリント基板４２をさらに備える。他方端５２は、一方端５１側から枝分かれした第１および第２の部分としての部分５２ｑおよび５２ｐを有する。部分５２ｑは、リブ状部３３と枠体部３２との間に規定される第２の空間としての空間３６を通過し、キー部４７、４６および４５から相対的に近い位置で接続される。部分５２ｐは、枠体部３２の外側を通過し、キー部４５、４６および４７から相対的に遠い位置で接続される。
【００５３】
なお、本実施の形態では、クラムシェルタイプの携帯電話機１について説明を行なったが、本発明はこれに限定されない。携帯電話機１は、たとえばストレートタイプのものであっても良い。また、本発明による携帯機器は、携帯電話機に限定されず、ＰＤＡ（personal digital assistants）、ノート型パソコンおよびワードプロセッサなどであってもよい。
【００５４】
このように構成された携帯電話機１によれば、マグネシウムフレーム３１の幅Ｂ１がメイン表示部５の幅Ｂ２以下であるため、マグネシウムフレーム３１を設けたことによって矢印１０１に示す方向における筐体２の大きさが大きくなることがない。これにより、携帯電話機１の小型化を図ることができる。一方、メイン表示部５をマグネシウムフレーム３１に取り付けることによって、外部からの衝撃等からメイン表示部５を保護することができる。
【００５５】
携帯電話機１を持ち歩いたり机の上に置いたりする場合、通常、筐体２および３を折り畳んだ状態にしておく。この状態において、携帯電話機１を地面に落としたり、携帯電話機１の上に物を載せたりする状況が考えられるが、このときのメイン表示部５に対する負荷は、主に筐体２の背面２ｂ側から加わる。また、メイン表示部５は、液晶面５ａに力が加わる場合と比較して、側面５ｃ側から加わる力に対しては比較的高い強度を有する。このため、マグネシウムフレーム３１の幅Ｂ１がメイン表示部５の幅Ｂ２以下である携帯電話機１においても、メイン表示部５を確実に保護することができる。加えて、マグネシウムフレーム３１は、液晶面５ａと同一平面となる表面３１ａを有するため、主表面２ａ側からの衝撃等に対してもメイン表示部５を保護することができる。
【００５６】
また、特に携帯電話機１では、マグネシウムフレーム３１の幅Ｂ１とメイン表示部５の幅Ｂ２とが等しくなっている。このため、筐体２の側面２ｃ側からの衝撃等に対してもメイン表示部５をさらに確実に保護することができる。また、携帯電話機１では、サブ表示部２０もマグネシウムフレーム３１に囲まれた空間３５に位置決めされている。このため、サブ表示部２０も外部からの衝撃等に対して確実に保護することができる。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５８】
【図１】この発明の実施の形態における携帯電話機の開いた状態を示す斜視図である。
【図２】図１中の携帯電話機を背面側から見た斜視図である。
【図３】図１中の携帯電話機の閉じた状態を示す斜視図である。
【図４】図１中のメイン表示部が設けられた筐体の分解図である。
【図５】図４中のマグネシウムフレームを示す斜視図である。
【図６】図５中の矢印ＶＩから見たマグネシウムフレームを示す斜視図である。
【図７】図４中の基板ユニットの分解図である。
【図８】図４中の基板ユニットの別の分解図である。
【図９】図４中のフレキシブルプリント基板を示す平面図である。
【図１０】従来において、表示部を保護するためのフレーム材を示す斜視図である。
【符号の説明】
【００５９】
１  携帯電話機、２，３  筐体、２ａ  主表面、４  ヒンジ、５  メイン表示部、５ａ  液晶面、５ｂ  取付け面、２０  サブ表示部、３１  マグネシウムフレーム、３１ａ  表面、３２  枠体部、３３  リブ状部、３５，３６  空間、４２  フレキシブルプリント基板、４５，４６，４７  キー部、５１  一方端、５２  他方端、５２ｐ，５２ｑ  部分。
【図１】
2005072114.tif 000003
【図２】
2005072114.tif 000004
【図３】
2005072114.tif 000005
【図４】
2005072114.tif 000006
【図５】
2005072114.tif 000007
【図６】
2005072114.tif 000008
【図７】
2005072114.tif 000009
【図８】
2005072114.tif 000010
【図９】
2005072114.tif 000011
【図１０】
2005072114.tif 000012